(57)【要約】【課題】光素子と光ファイバとの光結合の効率を向上させつつ部品点数を少なくでき、コストの低減を図ることができる光トランシーバを提供する。【解決手段】光素子４上に設けられた断面が略直角三角形状のミラー本体７を有すると共に、ミラー本体７の光入射面又は光出射面に形成されたレンズ８を有するレンズ付きミラー部材９と、光ファイバアレイ６の端部に設けられた光コネクタ１０と、基板３と光コネクタ１０とを連結し、光コネクタ１０の光ファイバアレイ６とレンズ付きミラー部材９のレンズ８との光軸を一致させる光導波路１１を有し、且つ光導波路１１の光入射端面又は光出射端面に形成されたレンズ１２を有するレンズ付き光路変換光導波路部材１３とを備えるものである。【選択図】図１
2011053303.tif 000002
【特許請求の範囲】
【請求項１】
発光素子又は受光素子からなる光素子と、
側面断面が略直角三角形状で反射面を有するミラー本体と、
前記光素子からの光信号又は前記光素子への光信号を平行光とする又は集光するレンズとからなり、前記ミラー本体の一方の光信号入射面又は光信号出射面に前記レンズが一体形成されると共に、
前記ミラー本体の他方の光信号入射面又は光信号出射面に前記光素子が一体に形成されたことを特徴とする光素子モジュール。
【請求項２】
ケースと、
前記ケース内に収容され一端が電子機器に設けられた電気コネクタに挿抜可能に電気接続される基板と、
前記ケース内に収容されると共に前記基板の表裏面に光軸が前記基板の表裏面に対して垂直な方向となるように実装された発光素子及び受光素子と、
前記基板の他端側の前記ケース外に設けられる光ファイバアレイを有し、前記光ファイバアレイの光入射端面又は光出射端面の光軸が前記基板の表裏面と平行になるように保持する光コネクタと、
断面が略直角三角形状のミラー本体を有すると共に前記ミラー本体の光入出射面に形成されたレンズを有し、前記発光素子及び前記受光素子と一体に形成されたレンズ付きミラー部材と、
前記光コネクタの前記光ファイバアレイと前記レンズ付きミラー部材の前記レンズとの間に設けられた光路変換光導波路部材と、
を備えることを特徴とする光トランシーバ。
【請求項３】
前記光路変換光導波路部材は、フレキシブル光導波路と透明基板上にレンズを一体形成したレンズ付き基板と複数に分割されたブロック本体で形成されると共に、前記ブロック本体の分割面には曲率面が形成され、前記フレキシブル光導波路を前記ブロック本体の曲率面で挟み込む構造であると共に、前記レンズ付き基板のレンズが前記フレキシブル光導波路の光入射端面又は光出射端面の光軸上に位置するように貼り付けて構成される請求項２に記載の光トランシーバ。
【請求項４】
前記発光素子及び前記受光素子がアレイ状光素子である請求項２又は３に記載の光トランシーバ。
【請求項５】
光ファイバアレイの両端に、請求項２〜４のいずれかに記載の光トランシーバを光接続したことを特徴とする光アクティブケーブル。
【発明の詳細な説明】
【技術分野】
【０００１】
本発明は、基板上に実装された光素子と光ファイバアレイとの間で電気信号と光信号を相互変換するための光素子モジュール、光トランシーバ及び光アクティブケーブルに関するものである。
【背景技術】
【０００２】
光通信においては、一方の光送受信モジュールに実装された発光素子にて電気信号を光信号に変換し、変換した光信号を光ファイバを用いて伝送し、伝送された光信号を他方の光送受信モジュールに実装された受光素子にて再び電気信号に変換することにより、高速な通信を可能にしている。
【０００３】
電気信号と光信号の相互変換のための光送受信モジュールとして光トランシーバが用いられている。
【０００４】
従来の光トランシーバとしては、一端が電子機器に設けられた電気コネクタに挿抜可能に電気接続される基板と、基板上に実装された発光素子及び受光素子（光素子）と、発光素子及び受光素子にそれぞれ接続された２本の光ファイバとをケース内に収容したものがある（例えば、特許文献１参照）。
【０００５】
この光トランシーバでは、電子機器からの電気信号は、発光素子にて光信号に変換され、送信用の光ファイバに出射される。他方、受信用の光ファイバで受信された光信号は、受光素子にて電気信号に変換され、電子機器に送られる。このように、光トランシーバは電気信号と光信号の相互変換を同時に行うことができる。
【０００６】
また、光トランシーバの小型化のために基板の表裏面に発光素子と受光素子を別々に実装することが行われている（例えば、特許文献２参照）。
【先行技術文献】
【特許文献】
【０００７】
【特許文献１】特開平９−１７１１２７号公報
【特許文献２】特開２００３−１３３６３１号公報
【特許文献３】特開２００９−１０３８７７号公報
【特許文献４】特開２００５−１７３０４３号公報
【発明の概要】
【発明が解決しようとする課題】
【０００８】
ところで、光素子に送受信用の光ファイバを光結合するには、従来、光ファイバの光入出射端面を光素子に直接光結合したり、光結合の信頼性を高めるために入出射光を集光するためのレンズを光素子上に一体に形成し、光トランシーバの薄型化のために光素子の光軸を基板面と平行に変換するためのミラーを別途設け、これを介して光結合することが行われている。
【０００９】
しかし、光素子と光ファイバを直接光結合する方法では、光軸合わせが難しく光結合効率に劣る問題がある。また、光素子上に一体にレンズを形成し、別途設けたミラーを介して光結合する方法では、光結合効率の向上、光トランシーバの薄型化を図ることはできるものの、別途設けたミラーの分だけ部品点数が多くなり、結果として光トランシーバにかかるコストの上昇を招いてしまう問題がある。
【００１０】
そこで、本発明の目的は、光素子と光ファイバとの光結合の効率を向上させつつ部品点数を少なくでき、コストの低減を図ることができる光素子モジュール、光トランシーバ及び光アクティブケーブルを提供することにある。
【課題を解決するための手段】
【００１１】
本発明は上記目的を達成するために創案されたものであり、請求項１の発明は、発光素子又は受光素子からなる光素子と、反射面を有する側面断面が略直角三角形状のミラー本体と、前記光素子からの光信号又は前記光素子への光信号を平行光とする又は集光するレンズとからなり、前記ミラー本体の一方の光信号入射面又は光信号出射面に前記レンズが一体形成されると共に、前記ミラー本体の他方の光信号入射面又は光信号出射面に前記光素子が一体に形成された光素子モジュールである。
【００１２】
請求項２の発明は、ケースと、前記ケース内に収容され一端が電子機器に設けられた電気コネクタに挿抜可能に電気接続される基板と、前記ケース内に収容されると共に前記基板の表裏面に光軸が前記基板の表裏面に対して垂直な方向となるように実装された発光素子及び受光素子と、前記基板の他端側の前記ケース外に設けられる光ファイバアレイを有し、前記光ファイバアレイの光入射端面又は光出射端面の光軸が前記基板の表裏面と平行になるように保持する光コネクタと、断面が略直角三角形状のミラー本体を有すると共に前記ミラー本体の光入出射面に形成されたレンズを有し、前記発光素子及び前記受光素子と一体に形成されたレンズ付きミラー部材と、前記光コネクタの前記光ファイバアレイと前記レンズ付きミラー部材の前記レンズとの間に設けられた光路変換光導波路と、を備える光トランシーバである。
【００１３】
請求項３の発明は、前記光路変換光導波路部材は、フレキシブル光導波路と透明基板上にレンズを一体形成したレンズ付き基板と複数に分割されたブロック本体で形成されると共に、前記ブロック本体の分割面には曲率面が形成され、前記フレキシブル光導波路を前記ブロック本体の曲率面で挟み込む構造であると共に、前記レンズ付き基板のレンズが前記フレキシブル光導波路の光入射端面又は光出射端面の光軸上に位置するように貼り付けて構成される請求項２に記載の光トランシーバである。
【００１４】
請求項４の発明は、前記発光素子及び前記受光素子がアレイ状光素子である請求項２又は３に記載の光トランシーバである。
【００１５】
請求項５の発明は、光ファイバアレイの両端に、請求項２〜４のいずれかに記載の光トランシーバを光接続したことを特徴とする光アクティブケーブルである。
【発明の効果】
【００１６】
本発明によれば、光素子と光ファイバとの光結合の効率を向上させつつ部品点数を少なくでき、コストの低減を図ることができる。
【図面の簡単な説明】
【００１７】
【図１】本発明の一実施の形態に係る光トランシーバを示す側面断面図（概略図）である。
【図２】図１の光トランシーバに用いる光コネクタ及びレンズ付き光路変換光導波路を示す図であり、（ａ）は上面図、（ｂ）は正面図である。
【図３】（ａ）〜（ｄ）は図１のレンズ付き光路変換光導波路の製造手順を示す図である。
【図４】本発明の変形例に係る光トランシーバの光コネクタを示す図である。
【図５】（ａ）〜（ｄ）は本発明の変形例に係る光トランシーバのレンズ付き光路変換光導波路の製造手順を示す図である。
【図６】図１の光トランシーバを用いた光アクティブケーブルを示す概略断面図である。
【発明を実施するための形態】
【００１８】
以下、本発明の好適な実施の形態を添付図面にしたがって説明する。
【００１９】
図１は、本実施の形態に係る光トランシーバを示す側面断面図（概略図）である。
【００２０】
光トランシーバとは、電気信号を光信号に変換して出力し、また入力された光信号を電気信号に変換する光送受信モジュールである。
【００２１】
図１に示すように、本実施の形態に係る光トランシーバ１は、一端２が電子機器（図示せず）に設けられた電気コネクタ（図示せず）に挿抜可能に電気接続される基板３の表裏面に光素子４を実装し、基板３の他端５側に配置される光ファイバアレイ６を光素子４と光学的且つ機械的に接続するものである。
【００２２】
そのために、光トランシーバ１は、光素子４上に設けられた側面の断面が略直角三角形状のミラー本体７を有すると共に、ミラー本体７の光入射面又は光出射面に形成されたレンズ８を有するレンズ付きミラー部材９と、光ファイバアレイ６の端部に設けられた光コネクタ１０と、光コネクタ１０の光ファイバアレイ６とレンズ付きミラー部材９のレンズ８との光軸を一致させる光導波路１１を有し、且つ光導波路１１の光入射端面又は光出射端面に形成されたレンズ１２を有するレンズ付き光路変換光導波路部材１３とを備える。
【００２３】
基板３の一端２の表裏面には、接続端子１４が形成されてカードエッジコネクタ１５を構成している。このカードエッジコネクタ１５を電子機器に設けられた電気コネクタに挿入することで、電子機器と光トランシーバ１とが電気接続される。なお、接続端子１４は、基板３の一端２の表面又は裏面のいずれか一方のみに形成してもよい。
【００２４】
光素子４は、基板３の表裏面に設けられており、一方（図では表面側）がＬＤ（Laser Diode）などからなる発光素子１６であり、他方（図では裏面側）がフォトダイオードなどからなる受光素子１７である。これら発光素子１６及び受光素子１７は基板３の表裏面に所定の間隔でアレイ状に（紙面に垂直な方向に）複数並列して配置されている。本実施の形態においては、発光素子１６と受光素子１７をそれぞれ４つアレイ状に並列して配置した。
【００２５】
各発光素子１６は電子機器からの電気信号を光信号に変換して外部に出力するためのものであり、各受光素子１７は外部から入力された光信号を電気信号に変換して電子機器に伝送するためのものである。これら各発光素子１６と各受光素子１７は、レンズ付きミラー部材９が一体に形成された光素子モジュールとして基板３の表面又は裏面に実装される（レンズ付きミラー部材９の構造については後述する）。
【００２６】
また、基板３の表面には、発光素子１６を駆動・制御するドライバ１８が実装され、基板３の裏面には、受光素子１７で変換した電気信号を増幅するためのアンプ１９が実装される。
【００２７】
光ファイバアレイ６は、複数本（本実施例では４本）の光ファイバ６ａを、例えば２５０μｍピッチで並列に配置して形成されたテープ状光ファイバ６ｂを上下に２枚重ねて配置した合計８芯の光ファイバアレイ６である。光ファイバアレイ６を構成する光ファイバ６ａとしては、本実施例ではコア径５０μｍの光ファイバを用いるが、シングルモード光ファイバや分散シフト光ファイバなども用いることができる。
【００２８】
次に、レンズ付きミラー部材９の構造を説明する。
【００２９】
レンズ付きミラー部材９は、発光素子１６又は受光素子１７の光軸を基板面と平行な方向に９０°変換するためのものである。
【００３０】
上述したように、レンズ付きミラー部材９は、光素子４上に設けられた側面の断面が略直角三角形状のミラー本体７と、ミラー本体７の光入出射面に形成されたレンズ８とを有する。
【００３１】
ミラー本体７は、水平面（基板３の表裏面）と４５°の角度をなす斜面７ａを有する側面の断面が略直角三角形状に形成され、その斜面７ａで発光素子１６からの出射光（或いは受光素子１７への入射光）を反射させる。つまり、発光素子１６又は受光素子１７の光軸を基板面と平行な方向に９０°変換する。
【００３２】
レンズ８は、ミラー本体７で９０°変換された発光素子１６又は受光素子１７の光軸上に形成され、発光素子１６からの出射光（或いは受光素子１７への入射光）を集光して光結合の効率を向上させる。
【００３３】
これらミラー本体７及びレンズ８は、ガラスやプラスチック及び樹脂など光信号（波長０．８〜１．６μｍ）を透過する材料で一体形成される。
【００３４】
ミラー本体７の斜面７ａで、入射光（或いは出射光）が反射するのは、ミラー本体７を構成するガラスやプラスチック及び樹脂などの材料と空気の屈折率が異なるためである。
【００３５】
本実施の形態においては、このレンズ付きミラー部材９と光素子４とが一体に形成されて光素子モジュール２８が構成されている。レンズ付きミラー部材９と光素子４とは光軸合わせを行いながら一体形成を行うが、光軸合わせを行わず、治具を用いて機械的に位置決めして一体形成してもよい。一体形成は、光素子４にレンズ付きミラー部材９の金型を装着し、プラスチックや樹脂などを注入して一体形成する。又は金型などで形成したレンズ付きミラー部材９と光素子４を直接光学的に透明な接着材で接合するか、光素子４をパッケージ（図示せず）に収容し、そのパッケージにレンズ付きミラー部材９を装着して一体形成する。
【００３６】
図２に示すように、光コネクタ１０は、直方体状のフェルール２０からなり、発光素子１６の配列間隔と同じ間隔で形成された複数（４つ）の上段孔２１と、受光素子１７の配列間隔と同じ間隔で形成された複数（４つ）の下段孔２２とを有する。
【００３７】
各上段孔２１と各下段孔２２は、それぞれ基板面に対して平行に形成されており、各上段孔２１に、光ファイバアレイ６の上側のテープ状光ファイバ６ｂを構成する各光ファイバ６ａの先端を挿入し、各下段孔２２に、光ファイバアレイ６の下側のテープ状光ファイバ６ｂを構成する各光ファイバ６ａの先端を挿入したときに、各光ファイバ６ａの光入射端面又は光出射端面の光軸が基板面と平行になるように保持するようになっている。
【００３８】
フェルール２０への光ファイバアレイ６の接続は、光ファイバアレイ６の各光ファイバ６ａの先端を、フェルール２０の各上段孔２１又は各下段孔２２に挿入した後、接着材を注入して固定し、各光ファイバ６ａの光入射端面又は光出射端面側のフェルール２０の端面を研磨し、各光ファイバ６ａの光入射端面又は光出射端面を露出させることにより行われる。
【００３９】
各上段孔２１と各下段孔２２との上下間隔Ｔは、規格によって定められており、例えば、インフィニバンドでは５００μｍである。これに対し、基板３の厚さｔは１ｍｍ程度であるため、光ファイバアレイ６を構成する各テープ状光ファイバ６ｂの上下間隔（＝Ｔ）を少なくとも基板３の厚さｔより大きくピッチ変換する必要がある。
【００４０】
そこで本実施の形態においては、各テープ状光ファイバ６ｂの上下間隔を基板３の表裏（上下）面に配設されたレンズ付きミラー部材９のレンズ８の上下間隔と一致させる（各テープ状光ファイバ６ｂの光入射端面又は光出射端面の光軸を基板３の表裏（上下）面に配設されたレンズ付きミラー部材９のレンズ８の光軸と一致させる）ために、基板３と光コネクタ１０との間に、レンズ付き光路変換光導波路部材１３が設けられる。
【００４１】
レンズ付き光路変換光導波路部材１３は、図３に示すように、光導波路１１と、光導波路１１を境に２分割されたブロック本体２３（上部ブロック２３ａと下部ブロック２３ｂ）と、レンズ１２とで形成されたブロック部材２４を上下対称となるように２組配置して構成される。ブロック本体２３の分割面２５は、光導波路１１の光路が光損失を無視できる（例えば０．１ｄＢ未満）曲率で形成される。
【００４２】
また、光導波路１１はポリマなどの高分子材料からなるフレキシブル光導波路１１ａを複数並列し、レンズ１２はガラス、プラスチック又は樹脂などで形成される光学的に透明な透明基板２６上にレンズ２７を一体形成したレンズ付き基板で形成される。
【００４３】
透明基板２６の厚さは、０．１ｍｍ〜２ｍｍにするとよい。厚さが、０．１ｍｍ未満では、取り扱いが難しく、また２ｍｍを超えると光信号の拡散が大きくなり光損失が増加する。好ましくは０．５〜１ｍｍがよい。
【００４４】
レンズ付き光路変換光導波路部材１３は、図３（ａ）〜（ｄ）に示すように、フレキシブル光導波路からなる光導波路１１をブロック本体２３の曲率面で挟み込むように接着固定した後、レンズ付き基板からなるレンズ１２をそのレンズ２７が光導波路１１の光入出射端面の光軸上に位置するように貼り付け、これを２組上下対称に配置した後、接着剤を用いて接着して構成される。
【００４５】
フレキシブル光導波路１１ａは、ポリマなどの高分子材料からなるコアと、コアの周囲をコアより屈折率の低いポリマなどの高分子材料からなるクラッドで覆った構造であり、コアは断面が矩形（正方形、又は長方形）である。
【００４６】
フレキシブル光導波路１１ａは、ポリマなどの高分子材料からなるため、形状を柔軟に変形することができ、ブロック本体２３の分割面２５の曲率形状に適応することができる。
【００４７】
また、フレキシブル光導波路１１ａのレンズ１２側のコアピッチＬ2（間隔）は、発光素子４の配列ピッチと同じピッチに形成され、フレキシブル光導波路１１ａの光ファイバ６ａ側のコアピッチＬ1は、光ファイバアレイ６のコアピッチと同じピッチに形成されている。
【００４８】
なお、フレキシブル光導波路１１ａのコアの寸法は、光ファイバ６ａのコア径に応じて適宜決定される。
【００４９】
この光トランシーバ１を用いた電気信号と光信号の相互変換を説明する。
【００５０】
電子機器からの電気信号は、電子機器に設けられた電気コネクタから基板３のカードエッジコネクタ１５を介しドライバ１８に伝送され、ドライバ１８によって発光素子１６を駆動・制御して、発光素子１６で光信号に変換されると共にその光信号が基板面と垂直な方向に出射される。
【００５１】
発光素子１６から出射された光信号は、レンズ付きミラー部材９の斜面７ａで反射されてその進行方向を９０°変換されてレンズ付きミラー部材９のレンズ８から出射され、次にレンズ付き光路変換光導波路部材１３の上側のブロック部材２４ａのレンズ１２を介して、フレキシブル光導波路１１ａの光入射端面７００ａに光結合してフレキシブル光導波路１１ａを伝搬し、光コネクタ１０の上段孔２１に挿入された光ファイバ６ａの光入射端面７００ｃに光結合し、光ファイバ６ａを通じて外部に出力される。
【００５２】
他方、下段孔２２に挿入された光ファイバ６ａの光出射端面７００ｄから出射された光信号は、レンズ付き光路変換光導波路部材１３の下側のブロック部材２４ｂに保持されたフレキシブル光導波路１１ａを伝搬して基板面と平行にレンズ１２から出射され、レンズ付きミラー部材９のレンズ８を介してミラー本体７に導かれてミラー本体７の斜面７ａで反射されてその進行方向を９０°変換され、次いで受光素子１７に入射して受光素子１７で電気信号に変換された後、アンプ１９にて電気信号を増幅して電子機器に伝送される。
【００５３】
以上の動作により、本実施の形態に係る光トランシーバ１では電気信号と光信号の相互変換が行われる。
【００５４】
本実施の形態に係る光トランシーバ１によれば、発光素子１６（又は受光素子１７）と一体に形成され、ミラー本体７とミラー本体７に一体に形成されたレンズ８とからなるレンズ付きミラー部材９を用いているため、ミラーを別途設ける従来の光トランシーバに比べて、光素子４とフレキシブル光導波路１１ａとの光結合の効率を向上させつつ部品点数を少なくでき、コストの低減を図ることができる。さらに、従来に比べて構成を小型化できる。
【００５５】
また、本実施の形態に係る光トランシーバ１によれば、基板３の表裏面に光素子４、すなわち発光素子１６と受光素子１７を別々に実装しているため、基板３の同一面にこれら発光素子１６及び受光素子１７を実装する場合に比べて基板３の面積を有効に活用できる。このため、基板３の大きさを小さくでき、光トランシーバ１の小型化に貢献できる。
【００５６】
さらに、基板３の表裏面に発光素子１６と受光素子１７を別々に実装しているため、発光素子１６を駆動・制御するドライバ１８からのノイズが裏面のアンプ１９へ与える影響を低減できる。
【００５７】
本実施の形態においては、光コネクタ１０は、フェルール２０に形成された各上段孔２１と各下段孔２２に光ファイバアレイ６を構成する各光ファイバ６ａを挿入して形成したが、これに限定されるものではない。
【００５８】
例えば、図４に示すように、フェルール２０を上部２０ａ、本体２０ｂ、下部２０ｃに３分割し、本体２０ｂの上下面に断面半円弧状のガイド溝４０を形成し、他方上部２０ａ及び下部２０ｃにガイド溝４０に対応する半円弧状のガイド溝４１を形成し、ガイド溝４０に各光ファイバ６ａを配置し、上部２０ａと下部２０ｃとで本体２０ｂを挟み込んで光コネクタ１０としてもよい。
【００５９】
また、本実施の形態においては、レンズ付き光路変換光導波路部材１３は、光導波路１１とブロック本体２３とレンズ１２とで形成されたブロック部材２４を上下対称となるように２組配置して構成したが、これに限定されるものではない。
【００６０】
例えば、図５（ａ）〜（ｄ）に示すように、直方体形状のブロック本体５０を上下対称となるように３分割し、２つの分割面５１に光導波路１１を挟み込み、レンズ５２を有するレンズ付き基板５３を、そのレンズ５２が各光導波路１１の入出射端面に位置するように貼り付けてレンズ付き光路変換光導波路部材１３としてもよい。
【００６１】
また、本実施の形態においては、各々にレンズ付きミラー部材９が一体に形成された発光素子１６（又は受光素子１７）を複数並列に配置したが、アレイ状に並列された複数の発光部（又は受光部）を有するＶＣＳＥＬ（Vertical-Cavity Surface-Emitting Laser）などのアレイ状光素子を用いてもよい。
【００６２】
この場合、ミラー本体７の光入出射端面に、発光部（又は受光部）の数だけレンズ８を設けたミラーを１つ用い、これをアレイ状光素子上に一体に形成するようにするとよい。
【００６３】
上記したレンズ付き光路変換光導波路部材１３、受光素子１７、発光素子１６、ドライバ１８、アンプ１９、そして基板３の大部分は、ケース２００に収容され保護されている。ケース２００は放熱やノイズ防止の効果を得るため金属（ＳＵＳ、アルミなど）が好ましい。しかし、放熱やノイズが問題とならない環境では樹脂やプラスチックを用いてもよい。基板３の一端２に形成されたカードエッジコネクタ１５は、ケース２００から一部が突出した構造となっている。
【００６４】
次に、光トランシーバ１を用いた光アクティブケーブルを説明する。
【００６５】
図６に示すように、光アクティブケーブル１００は、光ファイバアレイ６の両端に光トランシーバ１を光接続したものである。より具体的には、一方の光トランシーバ１の発光素子１６（或いは受光素子１７）と他方の光トランシーバ１の受光素子１７（或いは発光素子１６）を光ファイバアレイ６の各光ファイバ６ａ、レンズ付き光路変換光導波路部材１３の各フレキシブル光導波路１１ａを介して光接続したものである。
【００６６】
この光アクティブケーブル１００を用いて電子機器間を接続することで、電子機器間で光ファイバアレイ６を介して双方向の光通信を行うことができる。
【００６７】
光アクティブケーブル１００によれば、本発明の光トランシーバ１を用いているため、光素子４とフレキシブル光導波路１１ａとの光結合の効率を向上させつつ部品点数を少なくでき、コストの低減を図ることができる。
【符号の説明】
【００６８】
１  光トランシーバ
３  基板
４  光素子
６  光ファイバアレイ
７  ミラー本体
８  レンズ
９  レンズ付きミラー部材
１０  光コネクタ
１１  光導波路
１２  レンズ
１３  レンズ付き光路変換光導波路部材
【図１】
2011053303.tif 000003
【図２】
2011053303.tif 000004
【図３】
2011053303.tif 000005
【図４】
2011053303.tif 000006
【図５】
2011053303.tif 000007
【図６】
2011053303.tif 000008